(57)【特許請求の範囲】
【請求項１】
同時期に成形したディスク成形品を貼り合わせるＤＶＤ成形に用いられる２台の射出成形機の同期運転方法において、
１成形サイクル時間に偏差のある２台の射出成形機間で、
所定作動の起動が遅い射出成形機の起動時を基準として、
型閉信号、射出信号、型開信号のいずれかの起動信号に基づいて２台の射出成形機を同時に起動させるようにしたことを特徴とする射出成形機の同期運転方法。
【請求項２】
同時期に成形したディスク成形品を貼り合わせるＤＶＤ成形に用いられる２台の射出成形機の各制御装置に自己の射出成形機の起動可能信号を送信する出力ポートと他の射出成形機の起動可能信号を受信する入力ポートをそれぞれ設け、各射出成形機の制御装置は自己の起動可能信号のほか他の射出成形機からのすべての起動可能信号を受信したとき前記起動信号を生成して各射出成形機のアクチュエータを起動することを特徴とする請求項１に記載の射出成形機の同期運転方法。
【請求項３】
同時期に成形したディスク成形品を貼り合わせるＤＶＤ成形に用いられ１成形サイクル時間に偏差のある２台の射出成形機と、各射出成形機の制御装置に設け他の射出成形機の制御装置からの起動可能信号を受信する入力ポートと、各射出成形機の制御装置に設け他の射出成形機の制御装置へ起動可能信号を送信する出力ポートと、各射出成形機において送受信するすべての起動可能信号を論理積演算して起動信号として出力し各射出成形機のアクチュエータを起動させる制御装置とを備えたことを特徴とする射出成形機の同期運転装置。
【発明の詳細な説明】
【０００１】
【発明の属する技術分野】
関連した成形品を成形する複数の射出成形機間で信号を交換して、該複数の射出成形機を同期運転する方法とそのための装置に関する。
【０００２】
【従来の技術】
複数の射出成形機により成形した成形品をそのまま組み合わせて、ある製品を完成させる場合、複数の射出成形機の１成形サイクル時間を同一にすることは次の理由により困難である。成形品がたとえ略同一の形状であっても、複数の射出成形機における溶融樹脂の温度は微妙に異なるため、射出時間や冷却時間を同時間で実行するように成形条件を設定することは困難であり、さらに金型の開閉に要する時間は各射出成形機の特性の相違や金型構造によって異なるのである。したがって、各射出成形機の１成形サイクル時間には数％の偏差が生じる。
【０００３】
【発明が解決しようとする課題】
このように各射出成形機の成形サイクル時間には偏差があるので、成形時間の短い射出成形機は、成形時間の長い射出成形機より成形品を多く成形することとなり、それぞれの射出成形機による成形品を組み合せて製品とするため、一方の射出成形機での余剰成形品の処理が問題となる。特に、ＤＶＤ成形の場合には、同時期に成形したディスク成形品を貼り合せないとそり等の不良が発生する。従って、余剰のディスク成形品は廃却せざるを得ないのである。また成形途中随意に、成形サイクル時間の短い射出成形機の成形条件を、成形サイクル時間の長い射出成形機の成形条件に合わせて変更することも可能であるが、上記したように長時間に渡って同一の成形サイクル時間を維持させることは極めて困難である。さらに、各射出成形機の積算された成形サイクル時間の偏差が１成形サイクル時間を超えたとき、成形サイクル時間の短い射出成形機の運転を一時停止することも考えられるが、長時間射出成形機を停止すると溶融樹脂の温度が変化するため、成形を再開しても暫くの間は良品が得られないことがある。このことは、いずれかの射出成形機が何らかの原因で停止した場合にも言えることである。
【０００４】
【課題を解決するための手段】
このような課題を解決するため本発明は、複数の射出成形機の所定作動の起動が最も遅い射出成形機の起動時を基準として各射出成形機の所定作動を同時に起動させるようにし、具体的には複数の射出成形機それぞれの制御装置に起動可能信号を送受信する入出力ポートをそれぞれ設け、各射出成形機の制御装置は自己の起動可能信号の他すべての射出成形機からの起動可能信号を受信したとき起動信号を生成して各射出成形機のアクチュエータを起動するようにしたのである。
【０００５】
【発明の実施の形態】
図面に基づき本発明の実施の形態を詳細に説明する。図１は本発明を実施して２台の射出成形機により１個の成形品を生産する一例としてのＤＶＤの生産方法を示すブロック図である。図２は各射出成形機における成形作動のシーケンスと関連する信号を示す作動図である。
【０００６】
射出成形機１、６は、制御装置２、７を備えており、図示しない型締装置や射出装置を所定のシーケンスに従って制御する。型締装置は一対の金型３、５及び８、１０を開閉・型締し、射出装置と協働してディスク成形品４、９を成形する。成形のための作動シーケンスは図２に示すように、中間時間２０、型閉２１、型締２２、射出２３、冷却２４、型開２５からなる。一対の金型３、５及び８、１０により形成されたキャビティで成形したディスク成形品４，９は、中間時間中にそれぞれ取出装置１３によりキャビティから取出され、反射膜蒸着装置１４、保護膜塗布装置１５を経て貼合わせ装置１６で両ディスク基板の保護膜塗布面を貼り合わせてＤＶＤ１７として完成させる。
【０００７】
中間時間は、型開完了から型閉開始までの時間であり、制御装置２、７に設けたタイマにより設定・制御するが、ディスク成形の如き成形時間の短縮が要求されるような場合には、中間時間のタイマの計時完了を待たず取出装置１３がディスク成形品４、９を金型から取出すやいなや型閉開始させるようにすることもある。
【０００８】
各射出成形機１、６の制御装置２、７には同一のラダーシーケンスを格納したシーケンサを有し、前記中間時間２０の他、射出成形機の型締装置や射出装置のアクチュエータから制御装置２、７に入力される位置信号と制御装置２、７自身に備えたタイマに従って型閉２１、型締２２、射出２３、冷却２４、型開２５の工程を順次実行してゆく。このとき各制御装置２、７のラダーシーケンスには、型閉開始させる型閉信号と、射出開始させる射出信号と、型開開始させる型開信号とからなる起動信号が設けられており、該起動信号が生成されると各々の作動を実行するようにアクチュエータを作動させる。
【０００９】
各制御装置２、７における起動信号は、自己の射出成形機の制御装置を含め他の射出成形機の制御装置から発信される起動可能信号１１，１２を論理積演算したものであり、ラダーシーケンスでいえば各起動可能信号の直列接続により起動信号が励磁されることになる。他の射出成形機の制御装置から起動可能信号を受信するため、各射出成形機の制御装置は同一成形品に係わる成形を実行する複数の射出成形機の数から１を差し引いた数の入力ポート１９を有する。また、各射出成形機の制御装置は、他の射出成形機の制御装置へ自己の起動可能信号を送信するための出力ポート１８を有する。
【００１０】
次に、作動について説明する。各射出成形機１，６は自己と他の起動可能信号１１，１２が全て発信されたときに、各制御装置で起動信号を生成する。なお、起動信号は、制御装置の操作により、自己の射出成形機の起動可能信号のみにより励磁され他の射出成形機の起動可能信号を無効にするようにも切換選択されている。起動信号が型閉信号であれば、全ての射出成形機の中間時間２０が計時終了するか、成形品の取出しが終了したときに型閉開始する。すなわち複数の射出成形機の内最も成形品の取出しが遅い射出成形機を基準として次の成形サイクルが同時に開始するのである。このようにすれば、ディスク成形品４，９の取出し以降の工程は、ディスク成形品４とディスク成形品９とについて同時に開始するため、取出し以降の工程でいずれかのディスク成形品が過剰になって工程を乱したり、ディスク成形品取出し後の経過時間が同一であるから冷却・収縮の相違に起因して貼り合せたＤＶＤが反ることはない。しかしながら、この型閉信号による同期方法では、金型が開いた状態で待機する時間が射出成形機により異なるため、金型キャビティ面が射出成形機毎に異なって冷却され、その後の成形に悪影響が出ることがある。
【００１１】
起動信号が射出信号であれば、型締２２工程後、射出開始を各射出成形機間で、一致させることが出来る。この場合には、射出開始を待機するときに金型を閉じているので、前記のような金型の冷却による影響はない。また、起動信号が型開信号であるときも、同様の効果がある。起動信号を型閉信号、射出信号、型開信号のいずれにするかまたはそれらの組合せとするかは、成形品の形状や後工程の状況、各射出成形機のサイクル時間の差の程度により成形作業者が適宜決定する事項であり、その選択は制御装置において、容易に設定出来る。
【００１２】
【発明の効果】
本発明は上記説明したように、簡単な構成により複数の射出成形機を容易に同期運転させることが出来、成形品取出し後の工程が安定するとともに成形品を無駄にすることがない。
【図面の簡単な説明】
【図１】本発明を実施して２台の射出成形機を同期運転する一例であり、ＤＶＤの生産方法を示すブロック図である。
【図２】複数の射出成形機それぞれにおける成形作動のシーケンスと関連する信号を示す作動図である。
【符号の説明】
１、６  ………  射出成形機
２、７  ………  制御装置
４、９  ………  ディスク成形品
３、５、８、１０  ………  金型
１１、１２  ……  起動可能信号
１３  ……  取出装置
１４  ……  反射膜蒸着装置
１５  ……  保護膜塗布装置
１６  ……  貼合わせ装置
１７  ……  ＤＶＤ
１８  ……  出力ポート
１９  ……  入力ポート
【図１】
0003589596.tif 000002
【図２】
0003589596.tif 000003